(57)【要約】      （修正有）【課題】ＩＣタグを収容する袋体に前記ＩＣタグに関する情報を印刷しているときに前記袋体が外力を受けて伸びる又は縮むことがないようにし、前記袋体に印刷された前記情報が歪むことがないようにすること。【解決手段】物品にＩＣタグ１０を取り付ける取付け具１２は、第１シート片１６と、該第１シート片の上に配置され、前記第１シート片に固定された、前記第１シート片に平行な第２シート片１８とからなる、前記第１シート片と前記第２シート片との間に前記ＩＣタグを収容可能な袋体１４であって前記物品に固定される袋体を含み、前記第２シート片に前記ＩＣタグに関する情報が印刷されており、前記第２シート片は、上下方向に間隔を置かれた２つの合成樹脂層２６，２８と、該合成樹脂層の間にある合成繊維層２４，３０とを有する。【選択図】図２
0003151156.tif 000002
【実用新案登録請求の範囲】
【請求項１】
物品にＩＣタグを取り付ける取付け具であって、
第１シート片と、該第１シート片の上に配置され、前記第１シート片に固定された、前記第１シート片に平行な第２シート片とからなる、前記第１シート片と前記第２シート片との間に前記ＩＣタグを収容可能な袋体であって前記物品に固定される袋体を含み、
前記第２シート片に前記ＩＣタグに関する情報が印刷されており、
前記第２シート片は、上下方向に間隔を置かれた２つの合成樹脂層と、該合成樹脂層の間にある合成繊維層とを有する、取付け具。
【請求項２】
前記第２シート片は前記第１シート片に溶着されている、請求項１に記載の取付け具。
【請求項３】
前記第１シート片及び前記第２シート片のそれぞれは四角形の平面形状を有し、
前記第１シート片及び前記第２シート片は、互いに前記四角形の三辺が結合されている、請求項１又は２に記載の取付け具。
【請求項４】
前記第１シート片及び前記第２シート片のそれぞれは、前記三辺のうち互いに平行な二辺に位置する２つの縁部を有し、
前記第２シート片の各縁部は、フック状の断面形状を有し、前記第１シート片の前記縁部を受け入れている、請求項３に記載の取付け具。
【請求項５】
前記合成樹脂層は、ウレタン樹脂からなり、多孔質である。請求項１に記載の取付け具。
【請求項６】
前記第１シート片は、合成繊維層と、該合成繊維層の上及び下の少なくとも一方に設けられた合成樹脂層とを有する、請求項１に記載の取付け具。
【考案の詳細な説明】
【技術分野】
【０００１】
本考案は、物品にＩＣタグを取り付ける取付け具に関する。
【背景技術】
【０００２】
物品を管理するため、前記物品にＩＣタグが取り付けられる。前記ＩＣタグは、前記物品に関する情報を記録するＩＣチップと、該ＩＣチップに接続されたアンテナと、前記ＩＣチップ及び前記アンテナを被覆する被覆体とを含む。前記情報は、前記物品の生産履歴、販売履歴、物流履歴、メンテナンス履歴、レンタル履歴等であり、無線通信により前記情報を読み取り、また、書き換えることができる。前記情報を読み取ることにより、前記物品を前記情報に基づいて管理することができる。
【０００３】
前記物品にＩＣタグを取り付けるとき、前記物品に前記ＩＣタグを直接取り付けてもよいし（特許文献１参照）、前記物品に前記ＩＣタグを取付け具により取り付けてもよい。従来、前記物品に前記ＩＣタグを取り付ける取付け具には、前記物品に固定される、前記ＩＣタグを収容可能な袋体からなるものがある。前記袋体は合成繊維からなり、前記袋体に前記ＩＣタグに関する情報が印刷されている。
【０００４】
ところで、前記袋体は前記物品の取扱い時に外力を受けて破損することがある。前記袋体が破損すると、前記袋体から前記ＩＣタグが抜け出て、該ＩＣタグがどの物品に取り付けられていたものであるかわからなくなる恐れがある。前記袋体に前記ＩＣタグに関する情報が印刷されていることにより、前記袋体から前記ＩＣタグが抜け出たときに、前記ＩＣタグに関する情報に基づき、前記ＩＣタグがどの袋体から抜け出たものであるかを知ることができ、前記ＩＣタグがどの物品に取り付けられていたものであるかを知ることができる。
【０００５】
前記ＩＣタグに関する情報は、例えば、バーコードであり、前記ＩＣタグ毎に異なる。このため、前記袋体に前記ＩＣタグに関する情報を印刷するとき、前記ＩＣタグに関する情報の内容を前記袋体毎に変更しなければならない。前記ＩＣタグに関する情報の前記袋体への印刷には、コンピューターに接続された熱転写プリンターを用いる。前記熱転写プリンターは、前記袋体に印刷する情報の内容を前記コンピューターにより変更することができる。このため、前記袋体に印刷する内容を前記袋体毎に変更する手間が比較的少なく、前記袋体に前記ＩＣタグに関する情報を効率的に印刷することができる。
【考案の概要】
【考案が解決しようとする課題】
【０００６】
前記袋体に前記ＩＣタグに関する情報を印刷するとき、前記袋体に外力が加えられて前記袋体が伸びる又は縮むことがある。これにより、前記袋体に印刷された前記ＩＣタグに関する情報が歪むことがある。前記袋体に印刷された前記ＩＣタグに関する情報が歪むと、該情報を読み取ることが困難になり、前記袋体から前記ＩＣタグが抜け出たときに前記ＩＣタグに関する情報に基づいて前記ＩＣタグがどの袋体から抜け出たものであるかを知ることができなくなる。
【０００７】
本考案の目的は、ＩＣタグを収容する袋体に前記ＩＣタグに関する情報を印刷しているときに前記袋体が外力を受けて伸びる又は縮むことがないようにし、前記袋体に印刷された前記ＩＣタグに関する情報が歪むことがないようにすることである。
【課題を解決するための手段】
【０００８】
本考案は、ＩＣタグを収容する袋体が、第１シート片と、該第１シート片の上に配置された前記第１シート片に平行な第２シート片であって前記ＩＣタグに関する情報が印刷された第２シート片とからなり、該第２シート片が、上下方向に間隔を置かれた２つの合成樹脂層と、該合成樹脂層の間にある合成繊維層とを有する。これにより、前記第２シート片に前記ＩＣタグに関する情報を印刷しているときに前記第２シート片が受けた外力に対して前記合成樹脂層が抵抗するようにし、前記外力により前記第２シート片が伸びる又は縮むことがないようにする。これにより、前記第２シート片に印刷された前記ＩＣタグに関する情報が歪むことがないようにする。
【０００９】
本考案に係る、物品にＩＣタグを取り付ける取付け具は、第１シート片と、該第１シート片の上に配置され、前記第１シート片に固定された、前記第１シート片に平行な第２シート片とからなる、前記第１シート片と前記第２シート片との間に前記ＩＣタグを収容可能な袋体であって前記物品に固定される袋体を含み、前記第２シート片に前記ＩＣタグに関する情報が印刷されており、前記第２シート片は、上下方向に間隔を置かれた２つの合成樹脂層と、該合成樹脂層の間にある合成繊維層とを有する。
【００１０】
前記第２シート片が、前記合成繊維層のみならず、前記合成樹脂層を有するため、前記第２シート片に前記ＩＣタグに関する情報が印刷されているときに前記第２シート片が受けた外力に対して前記合成樹脂層が抵抗し、前記外力により前記第２シート片が伸びる又は縮むことはない。これにより、前記第２シート片に印刷された前記ＩＣタグに関する情報が歪むことはなく、前記第２シート片に印刷された前記ＩＣタグに関する情報の読み取りが困難になることはない。このため、前記袋体から前記ＩＣタグが抜け出たとき、前記第２シート片に印刷された前記ＩＣタグに関する情報に基づいて、前記ＩＣタグがどの袋体から抜け出たものであるかを確実に知ることができる。
【００１１】
前記第２シート片は前記第１シート片に溶着されている。前記第２シート片が、上下方向に間隔を置かれた前記２つの合成樹脂層と、該合成樹脂層の間にある前記合成繊維層とを有するため、前記第２シート片が前記第１シート片に溶着されるとき、前記第２シート片の前記合成繊維層が溶解することに加えて、前記第２シート片の前記２つの合成樹脂層のうち下方の合成樹脂層も溶解する。これにより、前記第２シート片の前記合成繊維層は、前記第２シート片の前記下方の合成樹脂層を介して前記第１シート片に結合される。このため、前記第２シート片の前記合成繊維層が前記第１シート片に直接結合される場合と比べて、前記第２シート片の前記第１シート片への溶着を強固にすることができる。これにより、前記袋体に外力が加えられて前記第２シート片の前記第１シート片への固定が解除されるのを防ぐことができ、前記袋体から前記ＩＣタグが抜け出るのをより確実に防止することができる。
【００１２】
前記第１シート片及び前記第２シート片のそれぞれは四角形の平面形状を有し、前記第１シート片及び前記第２シート片は、互いに前記四角形の三辺が結合されている。前記第１シート片及び前記第２シート片のそれぞれは、前記三辺のうち互いに平行な二辺に位置する２つの縁部を有し、前記第２シート片の各縁部は、フック状の断面形状を有し、前記第１シート片の前記縁部を受け入れているものとすることができる。前記第２シート片の各縁部が前記第１シート片の前記縁部を受け入れていることにより、前記第２シート片の前記縁部と前記第１シート片の前記縁部との接触面積を増すことができ、前記第２シート片の前記縁部の前記第１シート片の前記縁部への溶着をより強固にすることができる。
【００１３】
前記合成樹脂層は、ウレタン樹脂からなり、多孔質である。このため、前記第２シート片に前記ＩＣタグに関する情報を印刷するときに前記第２シート片に塗布されたインクが前記第２シート片に付着しやすい。このため、前記第２シート片に印刷された前記ＩＣタグに関する情報は、比較的鮮明であり、色褪せし難い。前記第１シート片は、合成繊維層と、該合成繊維層の上及び下の少なくとも一方に設けられた合成樹脂層とを有する。
【考案の効果】
【００１４】
本考案によれば、ＩＣタグを収容する袋体が、上下方向に間隔を置かれた２つの合成樹脂層と該合成樹脂層の間にある合成繊維層とを有する第２シート片であって前記ＩＣタグに関する情報が印刷された第２シート片を有するため、前記第２シート片に前記ＩＣタグに関する情報が印刷されているときに前記第２シート片が受けた外力に対して前記合成樹脂層が抵抗し、前記外力により前記第２シート片が伸びる又は縮むことはない。これにより、前記第２シート片に印刷された前記ＩＣタグに関する情報が歪むことはなく、前記第２シート片に印刷された前記ＩＣタグに関する情報の読み取りが困難になることはない。このため、前記袋体から前記ＩＣタグが抜け出たとき、前記第２シート片に印刷された前記ＩＣタグに関する情報に基づいて、前記ＩＣタグがどの袋体から抜け出たものであるかを確実に知ることができる。
【図面の簡単な説明】
【００１５】
【図１】本考案の第１実施例に係る、物品にＩＣタグを取り付ける取付け具の平面図。
【図２】図１の線２における取付け具の断面図。
【図３】第１シートの上に第２シートを配置しているときにおける第１シート及び第２シートの断面図。
【図４】第１シート及び第２シートを切断する前における第１シート及び第２シートの断面図。
【図５】第１シート及び第２シートを切断した後における第１シート及び第２シートの断面図。
【図６】第１帯状体及び第２帯状体を切断する前における第１帯状体及び第２帯状体の平面図。
【図７】第１帯状体及び第２帯状体を切断した後における第１帯状体及び第２帯状体の平面図。
【図８】取付け具により物品にＩＣタグを取り付けたときにおける取付け具の概略図。
【図９】本考案の第２実施例に係る、物品にＩＣタグを取り付ける取付け具の断面図。
【考案を実施するための形態】
【００１６】
図１に示すように、物品（図示せず）にＩＣタグ１０を取り付ける取付け具１２が存在する。取付け具１２はＩＣタグ１０を収容可能な袋体１４を含む。袋体１４は前記物品に固定される。
【００１７】
袋体１４は、第１シート片１６と、該第１シート片の上に配置され、第１シート片１６に固定された、第１シート片１６に平行な第２シート片１８とからなる。袋体１４は第１シート片１６と第２シート片１８との間にＩＣタグ１０を収容することができる。第２シート片１８は第１シート片１６に溶着されている。
【００１８】
第２シート片１８に、ＩＣタグ１０に関する情報２０と、前記物品の所有者の所属及び氏名２２とが印刷されている。ＩＣタグ１０に関する情報２０はバーコードである。ＩＣタグ１０に関する情報２０は、バーコードである図１に示した例に代え、ＱＲコードのような他の形式のものでもよい。
【００１９】
図２に示すように、第１シート片１６は、合成繊維層２４と、該合成繊維層の上にある合成樹脂層２６とを有する。第２シート片１８は、上下方向に間隔を置かれた２つの合成樹脂層２８と、該合成樹脂層の間にある合成繊維層３０とを有する。第１シート片１６の合成繊維層２４及び第２シート片１８の合成繊維層３０のそれぞれは、ポリエステル繊維、アクリル繊維、ナイロン等からなる。第１シート片１６の合成樹脂層２６及び第２シート片１８の合成樹脂層２８のそれぞれは、ウレタン樹脂からなり、多孔質である。
【００２０】
第１シート片１６及び第２シート片１８のそれぞれは四角形の平面形状を有し、第１シート片１６及び第２シート片１８は、互いに前記四角形の三辺が結合されている。第１シート片１６及び第２シート片１８のそれぞれは、前記三辺のうち互いに平行な二辺に位置する２つの縁部３２を有する。第２シート片１８の各縁部３２は第１シート片１６の縁部３２と相対している。前記四角形は長方形であり、前記三辺は前記長方形の２つの長辺及び一方の短辺である。前記四角形は、長方形である図１に示した例に代え、正方形でもよい。
【００２１】
取付け具１２を製造するとき、まず、図３に示すように、合成繊維層２４と、該合成繊維層の上にある合成樹脂層２６とを有する第１シート３４の上に、上下方向に間隔を置かれた２つの合成樹脂層２８と、該合成樹脂層の間にある合成繊維層３０とを有する第２シート３６を配置する。次に、図４、５に示すように、レーザー光線により第１シート３４及び第２シート３６を切断して（図４に、第１シート３４及び第２シート３６の切断時における切断線を一点鎖線３８で示す。）第１帯状体４０と該第１帯状体の上に配置された第２帯状体４２とを形成する。
【００２２】
第１帯状体４０と第２帯状体４２とを形成した後、第２帯状体４２の各側部４４を第１帯状体４０の側部４６に結合する。第２帯状体４２の各側部４４の第１帯状体４０の側部４６への結合は超音波加工による。すなわち、第２帯状体４２の各側部４４を第１帯状体４０の側部４６に結合するとき、超音波振動する振動体（図示せず）により第２帯状体４２の各側部４４を第１帯状体４０の側部４６に押し付ける。これにより、第２帯状体４２の側部４４と第１帯状体４０の側部４６との間に摩擦熱が生じ、該摩擦熱により第２帯状体４２の各側部４４は第１帯状体４０の側部４６に溶着される。
【００２３】
第２帯状体４２の各側部４４を第１帯状体４０の側部４６に結合した後、第２帯状体４２に、ＩＣタグ１０に関する情報２０と、前記物品の所有者の所属及び氏名２２とを印刷する。この印刷には、コンピューター（図示せず）に接続された熱転写プリンター（図示せず）を用いる。前記熱転写プリンターは、第２帯状体４２に印刷する内容を前記コンピューターにより変更することができる。第２帯状体４２にＩＣタグ１０に関する情報２０と前記物品の所有者の所属及び氏名２２とを印刷するとき、第１帯状体４０及び第２帯状体４２をこれらの長さ方向に移動させつつ、第２帯状体４２にＩＣタグ１０に関する情報２０と前記物品の所有者の所属及び氏名２２とを印刷する。
【００２４】
第２帯状体４２にＩＣタグ１０に関する情報２０と前記物品の所有者の所属及び氏名２２とを印刷した後、図６、７に示すように、レーザー光線により第１帯状体４０及び第２帯状体４２をこれらの幅方向（図６における上下方向）に切断して（図６に、第１帯状体４０及び第２帯状体４２の切断時における切断線を一点鎖線４８で示す。）第１シート片１６と該第１シート片の上に配置された第２シート片１８とを形成する。第１シート片１６の縁部３２は第１帯状体４０の側部４６からなり、第２シート片１８の縁部３２は第２帯状体４２の側部４４からなる。
【００２５】
なお、第２帯状体４２にＩＣタグ１０に関する情報２０と前記物品の所有者の所属及び氏名２２とを印刷するとき、第２帯状体４２に、ＩＣタグ１０に関する情報２０と前記物品の所有者の所属及び氏名２２とに加えて、第２帯状体４２の前記長さ方向に間隔を置かれた複数の印５０を印刷しておく。第１帯状体４０及び第２帯状体４２を切断するとき、レーザー切断機（図示せず）により印５０を感知して、第１帯状体４０及び第２帯状体４２を、印５０が印刷された位置において前記レーザー切断機により切断する。
【００２６】
第１シート片１６と第２シート片１８とを形成した後、第２シート片１８の前記一方の短辺を第１シート片１６の前記一方の短辺に結合する。第２シート片１８の前記一方の短辺の第１シート片１６の前記一方の短辺への結合は超音波加工による。すなわち、第２シート片１８の前記一方の短辺を第１シート片１６の前記一方の短辺に結合するとき、超音波振動する振動体（図示せず）により第２シート片１８の前記一方の短辺を第１シート片１６の前記一方の短辺に押し付ける。これにより、第２シート片１８の前記一方の短辺と第１シート片１６の前記一方の短辺との間に摩擦熱が生じ、該摩擦熱により第２シート片１８の前記一方の短辺は第１シート片１６の前記一方の短辺に溶着される。これにより袋体１４が形成される。
【００２７】
取付け具１２により前記物品にＩＣタグ１０を取り付けるとき、袋体１４の第１シート片１６と第２シート片１８との間にＩＣタグ１０を収容し、袋体１４を前記物品に固定する。前記ＩＣタグは、前記物品に関する情報を記録するＩＣチップ（図示せず）と、該ＩＣチップに接続されたアンテナ（図示せず）と、前記ＩＣチップ及び前記アンテナを被覆する被覆体（図示せず）とを含む。前記物品に関する情報は、前記物品の生産履歴、販売履歴、物流履歴、メンテナンス履歴、レンタル履歴等であり、無線通信により前記物品に関する情報を読み取り、また、書き換えることができる。前記物品に関する情報を読み取ることにより、前記物品に関する情報に基づいて前記物品を管理することができる。
【００２８】
図８に示す例では、前記物品は衣服５２であり、袋体１４は衣服５２に固定されている。袋体１４を衣服５２に固定するとき、第１シート片１６の他方の短辺及び第２シート片１８の他方の短辺を衣服５２に縫い付ける。衣服５２は、販売用でもよいし、レンタル用でもよい。衣服５２がレンタル用である場合、衣服５２は繰り返し洗濯されて使用される。第１シート片１６が合成繊維層２４及び合成樹脂層２６を有し、第２シート片１８が合成樹脂層２８及び合成繊維層３０を有するため、第１シート片１６及び第２シート片１８は、耐水性があり、洗濯に耐えることができる。
【００２９】
ところで、袋体１４は前記物品の取扱い時に外力を受けて破損することがある。袋体１４が破損すると、袋体１４からＩＣタグ１０が抜け出て、袋体１４から抜け出たＩＣタグ１０がどの物品に取り付けられていたものであるかわからなくなる恐れがある。袋体１４にＩＣタグ１０に関する情報２０が印刷されていることにより、袋体１４からＩＣタグ１０が抜け出たときに、ＩＣタグ１０に関する情報２０に基づき、ＩＣタグ１０がどの袋体から抜け出たものであるかを知ることができ、ＩＣタグ１０がどの物品に取り付けられていたものであるかを知ることができる。
【００３０】
ＩＣタグ１０に関する情報２０はＩＣタグ１０毎に異なり、前記物品の所有者の所属及び氏名２２は前記物品毎に異なる。このため、第２帯状体４２にＩＣタグ１０に関する情報２０と前記物品の所有者の所属及び氏名２２とを印刷するとき、ＩＣタグ１０に関する情報２０の内容と前記物品の所有者の所属及び氏名２２の内容とを袋体１４毎に変更しなければならない。第２帯状体４２に印刷する内容を前記コンピューターにより変更できるため、第２帯状体４２に印刷する内容を袋体１４毎に変更する手間が比較的少なく、第２帯状体４２にＩＣタグ１０に関する情報２０と前記物品の所有者の所属及び氏名２２とを効率的に印刷することができる。
【００３１】
第１帯状体４０及び第２帯状体４２をこれらの長さ方向に移動させつつ、第２帯状体４２にＩＣタグ１０に関する情報２０と前記物品の所有者の所属及び氏名２２とを印刷するとき、第２帯状体４２に前記長さ方向の外力が加えられる。第２帯状体４２が、合成繊維層３０に加えて、合成樹脂層２８を有するため、合成樹脂層２８は、第２帯状体４２が受けた前記外力に抵抗し、第２帯状体４２は、前記外力により伸びることがなく、また、前記外力により縮むことがない。これにより、第２帯状体４２に印刷されたＩＣタグ１０に関する情報２０が歪むことはなく、第２シート片１８に印刷されたＩＣタグ１０に関する情報２０の読み取りが困難になることはない。このため、袋体１４からＩＣタグ１０が抜け出たとき、第２シート片１８に印刷されたＩＣタグ１０に関する情報２０に基づいて、ＩＣタグ１０がどの袋体から抜け出たものであるかを確実に知ることができる。
【００３２】
第２帯状体４２の合成樹脂層２８がウレタン樹脂からなり、多孔質であるため、第２帯状体４２にＩＣタグ１０に関する情報２０と前記物品の所有者の所属及び氏名２２とを印刷するときに第２帯状体４２に塗布されたインクが第２帯状体４２に付着しやすい。このため、第２シート片１８に印刷されたＩＣタグ１０に関する情報２０と前記物品の所有者の所属及び氏名２２とは、比較的鮮明であり、色褪せし難い。
【００３３】
第２帯状体４２が、上下方向に間隔を置かれた２つの合成樹脂層２８と、該合成樹脂層の間にある合成繊維層３０とを有し、第１帯状体４０が、合成繊維層２４と、該合成繊維層の上にある合成樹脂層２６とを有するため、第２帯状体４２の各側部４４が第１帯状体４０の側部４６に溶着されるとき及び第２シート片１８の前記一方の短辺が第１シート片１６の前記一方の短辺に溶着されるとき、前記摩擦熱により、第２帯状体４２の合成繊維層３０及び第１帯状体４０の合成繊維層２４が溶解することに加えて、第２帯状体４２の２つの合成樹脂層２８のうち下方の合成樹脂層２８及び第１帯状体４０の合成樹脂層２６も溶解する。これにより、第２帯状体４２の合成繊維層３０は、第２帯状体４２の下方の合成樹脂層２８及び第１帯状体４０の合成樹脂層２６を介して、第１帯状体４０の合成繊維層２４に結合される。このため、第２帯状体４２の合成繊維層３０が第１帯状体４０の合成繊維層２４に直接結合される場合と比べて、第２シート片１８の第１シート片１６への溶着を強固にすることができる。これにより、袋体１４に外力が加えられて第２シート片１８の第１シート片１６への固定が解除されるのを防ぐことができ、袋体１４からＩＣタグ１０が抜け出るのをより確実に防止することができる。
【００３４】
第２帯状体４２が、上下方向に間隔を置かれた２つの合成樹脂層２８と、該合成樹脂層の間にある合成繊維層３０とを有し、第１帯状体４０が、合成繊維層２４と、該合成繊維層の上にある合成樹脂層２６とを有するため、レーザー光線により第１シート３４及び第２シート３６を切断して第１帯状体４０と第２帯状体４２とを形成したとき、第２帯状体４２の下方の合成樹脂層２８及び第１帯状体４０の合成樹脂層２６は、前記レーザー光線の熱により溶解して、互いに僅かに結合されている。このため、第１帯状体４０と第２帯状体４２とを形成した後、第２帯状体４２の各側部４４を第１帯状体４０の側部４６に結合するまでの間、第１帯状体４０及び第２帯状体４２の取扱い中に第２帯状体４２が外力を受けて第１帯状体４０に対して移動するのを防ぐことができる。これにより、第２帯状体４２の各側部４４の第１帯状体４０の側部４６への結合を、第１帯状体４０に対する第２帯状体４２の位置を修正することなく、効率的に行うことができる。
【００３５】
第１シート片１６は、合成繊維層２４と、該合成繊維層の上にある合成樹脂層２６とを有する図１に示した例に代え、合成繊維層２４と、該合成繊維層の下にある合成樹脂層２６とを有するものでもよいし、合成繊維層２４と、該合成繊維層の上及び下の双方にある合成樹脂層２６とを有するものでもよい。
【００３６】
図９に示す例では、第２シート片１８の各縁部３２が第１シート片１６の縁部３２と相対している図１に示した例に代え、第２シート片１８の各縁部３２は、フック状の断面形状を有し、第１シート片１６の縁部３２を受け入れている。これにより、第２シート片１８の縁部３２と第１シート片１６の縁部３２との接触面積を増すことができ、第２シート片１８の縁部３２の第１シート片１６の縁部３２への溶着をより強固にすることができる。
【符号の説明】
【００３７】
１０    ＩＣタグ
１２    取付け具
１４    袋体
１６    第１シート片
１８    第２シート片
２０    ＩＣタグに関する情報
２４、３０    合成繊維層
２６、２８    合成樹脂層
３２    縁部
【先行技術文献】
【特許文献】
【００３８】
【特許文献１】特開２００７−１８４８７号公報
【図１】
0003151156.tif 000003
【図２】
0003151156.tif 000004
【図３】
0003151156.tif 000005
【図４】
0003151156.tif 000006
【図５】
0003151156.tif 000007
【図６】
0003151156.tif 000008
【図７】
0003151156.tif 000009
【図８】
0003151156.tif 000010
【図９】
0003151156.tif 000011